(57)【特許請求の範囲】
【請求項１】
個人情報が表示された宛名ラベルにおいて、
前記宛名ラベルが、基材と接着層とが順次積層された積層体からなり、
前記基材の表面には、前記個人情報が表示され、かつ該個人情報の一部を剥離する複数の剥離部が、切取り線を介して形成されてなり、
該基材と接着層の間に剥離部より一回り大きい剥離層が形成されてなり、該剥離層を覆うように接着層が形成されてなり、
該剥離部の先端部の形状が、Ｕ字状であり、かつ該ラベルが四角形状であり、剥離部及び剥離層が独立して斜めに複数形成されてなることを特徴とする宛名ラベル。
【請求項２】
前記接着層が、感熱性接着剤であることを特徴とする請求項１に記載の宛名ラベル。
【請求項３】
前記基材が、紙系材料からなることを特徴とする請求項１または２に記載の宛名ラベル。
【請求項４】
前記個人情報が、氏名、住所、電話番号、顧客番号であることを特徴とする請求項１〜３のいずれか１項に記載の宛名ラベル。
【発明の詳細な説明】
【技術分野】
【０００１】
本発明は、例えば、郵便物、宅配物などに貼付された宛名ラベルに関する。特に宛名ラベルに表示された住所、氏名などの個人情報を、第三者に読み取り難くい状態にして、廃棄することができる宛名ラベルに関するものである。
【背景技術】
【０００２】
従来、例えば郵便物や宅配物などを送る場合には、送付する荷物に対して送付先の住所、氏名、郵便番号、顧客番号などの個人情報をプリント出力したラベルを、直接または間接的に貼付して送付する場合が多い。そして、荷物の受取り人は、送られてきた荷物本体やその包装物が不要になった際に、個人情報が表示されたラベルを貼付したまま廃棄する場合がある。例えば、第三者が悪意に廃棄物から個人情報を盗む目的で廃棄物を収集し、個人情報が表示されたラベルから廃棄物を廃棄した個人を特定することで、廃棄物を選別して悪事を図ろうとすることが考えられる。
【０００３】
従って、このような悪事を働こうとするものに対する予防として、宛名などの個人情報が表示されたラベルが貼付された廃棄物を廃棄する際には、廃棄物からラベルを剥離して個人情報が読み取りできない状態に裁断した後、廃棄することが個人情報の流出を防止する上で重要である。
【０００４】
このような個人情報流出の防止対策として、例えば、ラベルが貼付されたままの荷物本体や包装紙を、手やハサミで細かく破いて裁断したり、またラベルに表示された個人情報の部分を筆記用具で読み取り不能に塗りつぶしたり、また個人情報が表示されたラベルだけを荷物本体や包装紙から剥離した後、手やハサミで細かく破いて裁断したりして、個人情報の流出の防止を防いでいる。
【０００５】
個人情報が表示されたラベルを剥離し、手やハサミで細かく破いて裁断する場合は、荷物本体や包装紙の大きさ、材質によっては裁断が不可能な場合があり、また個人情報が読み取れないように細かく裁断するには手間が掛かる問題がある。またラベルに表示された個人情報の部分を筆記用具で読み取り不能に塗りつぶす場合には、反射率や色の差によって個人情報が透けて読み取られる危険性もある。
【０００６】
このようなことを改善するために、個人情報が表示されたラベルを荷物本体や包装紙から剥離した後、基材に加工された切取り線から分割し易く、簡単に手で破いて裁断ができるようにした提案がある（特許文献１）。
【０００７】
この提案は、基材に個人情報の表示領域を複数の区域に分割する切取り線が形成され、かつ基材の裏面には剥離可能な接着剤が形成され、該接着剤が剥離可能な剥離紙で覆われているラベルである。該ラベルは、荷物本体や包装紙に貼着されたラベルを剥がした後、切取り線から分割して裁断できるようにしたものである。接着剤として剥離可能な粘着剤を用いるために、剥離紙が用いられている。
【０００８】
しかし、この提案では、貼着されたラベルを荷物本体や包装紙から剥がす際に、きれいに剥がれず、実際には、ラベルが貼付されたままの荷物本体や包装紙を、手やハサミで細かく破いて裁断したり、ラベルが貼着された部分をハサミで切り取り、破いて裁断したりして、手間が掛かる問題がある。また接着剤に粘着剤を用いているために、剥離紙が必要になり、生産コストが掛かる問題がある。
【０００９】
また個人情報の周縁部に、個人情報表示領域を通信シートかた切り離すためのジッパーを設け、該ジッパーがＹ字状に形成されたジッパーの提案がある（特許文献２）。
【００１０】
しかし、この提案は、通信シートから切り離す手段であり、本発明の主旨とは異なる。
【００１１】
よって、荷物本体や包装紙に貼着された状態で、容易に個人情報を読み難くするような宛名ラベルが望まれている。また生産コストが掛からない宛名ラベルが望まれている。
【先行技術文献】
【特許文献】
【００１２】
【特許文献１】特開２００１−１７５１７５号公報
【特許文献２】特開２００７−３２０２７２号公報
【発明の概要】
【発明が解決しようとする課題】
【００１３】
本発明は、背景技術の問題に鑑みて、住所、氏名などの個人情報が表示されたラベルが貼着された荷物本体や包装紙を、廃棄する際に、第三者が読み取れないようにした宛名ラベルを提供することにある。かつ生産コストが掛からないる宛名ラベルを提供することにある。
【課題を解決するための手段】
【００１４】
上記の課題を解決するために、発明者らは鋭意検討を行い、本発明を完成した。
【００１５】
本発明の請求項１に係る発明は、個人情報が表示された宛名ラベルにおいて、前記宛名ラベルが、基材と接着層とが順次積層された積層体からなり、前記基材の表面には、前記個人情報が表示され、かつ該個人情報の一部を剥離する複数の剥離部が、切取り線を介して形成されてなり、該基材と接着層の間に剥離部より一回り大きい剥離層が形成されてなり、該剥離層を覆うように接着層が形成されてなり、該剥離部の先端部の形状が、Ｕ字状であり、かつ該ラベルが四角形状であり、剥離部及び剥離層が独立して斜めに複数形成されてなることを特徴とする宛名ラベルである。
【００１６】
本発明の請求項２に係る発明は、前記接着層が、感熱性接着剤であることを特徴とする。
【００１７】
本発明の請求項３に係る発明は、前記基材が、紙系材料からなることを特徴とする。
【００１８】
本発明の請求項４に係る発明は、前記個人情報が、氏名、住所、電話番号、顧客番号であることを特徴とする。
【発明の効果】
【００２２】
本発明の宛名ラベルは、荷物本体や包装紙に貼着された状態で、個人情報の一部を剥離し取り除くことにより、第三者が読み取れないようにしたものである。感熱接着剤を使用
することで、剥離紙を必要せず、材料費を低減し、生産コストが掛からない宛名ラベルである。
【００２３】
本発明によれば、基材の表面に個人情報が表示された宛名ラベルで、基材の裏面には剥離層と被着体と接着する接着層が形成されている。基材には、個人情報の一部を剥離するための複数の剥離部が切取り線を介して形成されている。また切取り線の深さは、基材から剥離層まで形成されている。荷物本体や包装紙に貼着された宛名ラベルを、廃棄時の際に、切取り線を破材し剥離部を剥離して取り除くのである。第三者に読み取れないようにしたものである。
【００２４】
また、剥離部が、剥離層と接着層との層間で剥離するのである。
剥離部を、切取り線を破材して剥離する際、安定した剥離が可能となる。
【００２５】
また、剥離部の先端部の形状が、Ｕ字状であることにより、切取り線を破材するときに、指で取っ掛かりがし易く、捲れ易く、容易に剥離することができる。
【００２６】
また、剥離層の領域が、剥離部よりも一回り大きく形成することにより、切取り線が、剥離層の領域内に入り、安定して剥離部を剥がし、取り除くことができる。
【００２７】
また、接着層が、感熱接着剤であることにより、剥離紙を使用せず、材料費が低減でき、生産コストが掛からない宛名ラベルを提供することができる。
【００２８】
また、基材が紙系材料からなることにより、切取り線を破材し易くすることができる。また破材が不十分な場合でも、紙剥などで破材することができる。
【００２９】
また、個人情報が、住所、氏名、電話番号であることを特徴とする。これらの個人情報が表示されたラベルが貼着された荷物本体や包装紙を、廃棄する際に、該個人情報を、第三者に読み取れないようにした宛名ラベルである。第三者への漏洩を防止することができる。
【図面の簡単な説明】
【００３０】
【図１】本発明の宛名ラベルの表面の一例を示す説明図である。
【図２】本発明の宛名ラベルの裏面の一例を示す説明図である。
【図３】図１のＸ−Ｘ´断面の一例を示す説明図である。
【図４】本発明の宛名ラベルが被着体に貼着され、Ｘ−Ｘ´断面の一例を示す説明図である。
【図５】図４の宛名ラベルの剥離部を剥離した後の状態の一例を示す説明図である。
【図６】本発明の宛名ラベルが郵便物に貼着された状態の一例を示す説明図である。
【図７】図６の宛名ラベルの剥離部を剥離した後の状態の一例を示す説明図である。
【図８】本発明の宛名ラベルの一実施形態の一例を示す説明図である。
【図９】図８の宛名ラベルを郵便物に貼着され、剥離部を剥離した状態の一例を示す説明図である。
【図１０】図１の宛名ラベルの生産時の表面の一例を示す説明図である。
【図１１】図１の宛名ラベルの生産時の裏面の一例を示す説明図である。
【図１２】図８の宛名ラベルの生産時の表面の一例を示す説明図である。
【図１３】従来の宛名ラベルの生産時の表面の一例を示す説明図である。の一例を示す説明図である。
【発明を実施するための形態】
【００３１】
以下、本発明を実施するための形態につき説明する。
【００３２】
図１は、本発明の宛名ラベルの表面の一例を示す説明図である。宛名ラベル１の表面２には、個人情報６が表示されている。個人情報６とは、送付先の住所、氏名、郵便番号、電話番号、顧客番号などがプリント出力され印字が形成されている。個人情報の一部を剥離する剥離部７が切取り線８を介して形成されている。剥離部７の形状は、剥離時に指で取っ掛かりがし易く、捲れ易いように先端部がＵ字状１３にしている。
【００３３】
図２は、本発明の宛名ラベルの裏面の一例を示す説明図である。宛名ラベル１の裏面１０には、切取り線８を介して剥離部７より一回り大きく剥離層４が形成され、該剥離層４の上を覆い、接着層５が裏面全面に形成されている。
【００３４】
図３は、図１のＸ−Ｘ´断面の一例を示す説明図である。基材３の表面には個人情報を形成する印字９が形成され、基材３の裏面には、剥離部７より一回り大きく剥離層４が形成され、剥離層４の上に覆うように、接着層５が裏面全面に形成されている。接着層５には、感熱接着剤が使用されるために、剥離紙を使用しない。
【００３５】
図４は、本発明の宛名ラベルが被着体に貼着され、Ｘ−Ｘ´断面の一例を示す説明図である。接着層５を加熱して被着体１２と貼着した状態を示している。被着体１２とは、郵便物や荷物本体や荷物を包装している包装紙などである。宛名ラベルを貼着して郵送するもの全部に利用が可能である。
【００３６】
図５は、図４の宛名ラベルの剥離部を剥離した後の状態の一例を示す説明図である。基材３に形成された剥離部７を、切取り線８を破材して剥離することにより、個人情報の印字９の一部が取り除かれ、読み取り難くしたものである。また剥離部７の剥離は、剥離層４と接着層５との間で剥離する。
【００３７】
図６は、本発明の宛名ラベルが郵便物に貼着された状態の一例を示す説明図である。本発明の宛名ラベルは、例えば、ラべラ―機などで郵便物２５に貼着される。郵便物２５に貼着された状態である。郵便物２５に貼着された宛名ラベル１には、切取り線８が個人情報の表示部の一部に複数形成されている。切取り線８を介して剥離部７が形成されている。
【００３８】
図７は、図６の宛名ラベルの剥離部を剥離した後の状態の一例を示す説明図である。基材に形成された剥離部７のＵ字状１３を指で剥離し、個人情報６の印字９の一部を取り除くことで、読み取り難くしている。
【００３９】
図８は、本発明の宛名ラベルの一実施形態の一例を示す説明図である。個人情報６の一部を剥離するための剥離部７が斜めに形成され、剥離する方向を斜めにしたものである。特に剥離部７の剥離する方向は限定されない。
【００４０】
図９は、図８の宛名ラベルを郵便物に貼着され、剥離部を剥離した状態の一例を示す説明図である。剥離部７が斜めに剥離され、個人情報６の印字９の一部が剥離し取り除かれている。
【００４１】
更に詳しく実施するための形態を説明する。
【００４２】
本発明の宛名ラベルに使用する基材３としては、上質紙、中質紙、コート紙、再生紙、合成紙などが使用できる。また、これら紙、ポリエチレンフィルムなどのオレフィン系フ
ィルムと貼り合わせたラミネート紙でも使用できる。また易カット性を有する一軸延伸フィルムフィルムとラミネートしても可能である。紙の坪量としては、５０〜３００ｇ／ｍ２が使用できる。
【００４３】
これらの紙は、通常ロール状にして加工される。予め、基材の裏面の所定の位置に剥離層を形成し、その後接着層を、剥離層を覆い、裏面全面に形成する。図１１は、図１の宛名ラベルの生産時の裏面の一例を示す説明図である。剥離層は、剥離部より一回り大きく形成する。次いで、接着層５を、剥離層を覆い、裏面全面に形成する。
【００４４】
次に、基材の裏面に剥離層と接着層を順次形成した原反を用いて宛名ラベルを作成する方法について説明する。図１０は、図１の宛名ラベルの生産時の表面の一例を示す説明図である。図１０は、宛名ラベルを二列にて作成する場合を示している。原反を所定の幅のロール状にし、両端にマージナル孔２１が設けられたマージナル部２０が、切り取り用ミシン目線２４を境に設けられている。このマージナル部２０は、原反を連続して所定方向に移送させながら、表面に個人情報６を、コンピューターに連結されたプリンターにて出力印字する。その後連続して個人情報６に剥離部７を形成するための切取り線８を加工する。同時にラベルのサイズを、縦方向に縦方向ミシン目線２２、横方向に横方向ミシン目線２３にて形成する。
【００４５】
次にマージナル部２０を切りとり、個人情報６が表示された宛名ラベルを一列にしたロールを、ラベラ―機を用いて、郵便物に貼着する。貼着する場合は、接着層を加熱して接着剤を溶融し被着体に貼り合わせて接着する。
【００４６】
図１２は、図８の宛名ラベルの生産時の表面の一例を示す説明図である。個人情報６の一部を剥離するための剥離部７が斜めに形成され、剥離する方向を斜めにしたものである。
特に剥離部７の剥離する方向は限定されないが、剥離しやすい方向にすることが好ましい。
【００４７】
図１３は、従来の宛名ラベルの生産時の表面の一例を示す説明図である。従来の宛名ラベル３０は、個人情報６には剥離部がないために、廃棄する際は、個人情報６が読み取れる状態である。よって、宛名ラベルを剥離してから、ハサミなどで裁断するため手間が掛かる。
【００４８】
更に詳しく実施するための形態を説明する。
【００４９】
剥離層を形成する剥離樹脂としては、例えば、ポリスチレン、ポリα−メチルスチレン等のスチレン系樹脂、ポリメタクリル酸メチル、ポリアクリル酸エチル等を含むアクリル系樹脂やスチレンとの共重合体、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類などが使用できる。また、これら樹脂に脂肪系アミド樹脂やシリコン系樹脂などの離型剤を加えて、剥離し易く調整することができる。また接着層との親和力が小さいもの、例えば、酸化亜鉛、酸化チタン、炭酸カルシウム、カオリン、活性白土、球状アルミナ、シリカ、ガラス粉末などを加えてもよい。これらの材料を組み合わせて適宜使用することができる。これら樹脂を溶剤に溶解または分散して塗布液を形成する。
【００５０】
剥離層を形成する方法としては、上記塗布液をグラビア印刷、オフセット印刷、フレキソ印刷、シルク印刷、インクジェット印刷など公知の方法で可能である。剥離部の形状より一回り大きくパターンで印刷することにより可能である。
【００５１】
塗布量としては、２〜１０ｇ／ｍ２の範囲が好ましい。適宜、剥離性を確認して決めればよい。
【００５２】
接着層に使用する接着剤としては、感熱性接着剤が好ましい。剥離紙（セパレータ―）を使用しないことで生産性を向上させることができる。使用する感熱性接着剤としては、熱可塑性樹脂であればよく、例えば、ポリエチレン、ポリプロピレンなどのオレフィン系樹脂、ポリウレタン樹脂、アクリル樹脂、ポリエチレンテレフタレート樹脂、エチレンビニルアルコール樹脂、ポリアミド樹脂、ポリイミド樹脂、ゴム系樹脂などが使用できる。これらは、有機溶剤にて塗布液にしたり、水溶剤にてエマルジョンにして塗布液にすることができる。また感熱性のディレートタック剤を用いることもできる。またこれらの樹脂を有機溶剤や水溶剤を使用せず、熱融解させて塗布する、所謂ホットメルトにしても可能である。
【００５３】
感熱性接着剤を塗布する方法として、グラビアコート、ロールコート、コンマーコート、ナイフコートなどの公知の方法が可能である。また上記樹脂を熱融解させ、該熱融解した樹脂を、加熱したグラビア版やロール版を用いて、所謂ホットメルトコ―トでも可能である。
【００５４】
感熱性接着剤の塗布量としては、５〜３０ｇ／ｍ２の範囲が好ましい。被着体との接着性を確認して、適宜決めればよい。
【００５５】
剥離部を形成する切取り線は、ミシン目線が好ましい。ミシン目線の切れ部分が０．２〜２ｍｍの範囲、繋ぎ部分が０．１５〜２．５ｍｍの範囲で、それぞれ設定すればよい。しかし、個人情報の視認に悪影響を及ぼさないものがよく、ミシン目線の中でも、切れ部分０．２〜０．３５ｍｍの範囲、繋ぎ部分が０．１５ｍｍ程度、所謂マイクロミシン目線が好ましい。
【００５６】
ミシン目線加工や宛名ラベルの外径抜き加工などは、トムソン抜き型を用いたトムソン抜き機や金属ロール刃を用いたロールプレス機を用いることができる。連続加工して行うには、ロールプレス機が好ましい。
【００５７】
本発明の宛名ラベルは、基材の表面に表示された個人情報、即ち送付先氏名、住所、郵便番号、電話番号、顧客番号などの一部を、剥離し取り除くことができる。廃棄する際、第三者に個人情報を読み取れないようにしたものである。
【符号の説明】
【００５８】
１    本発明の宛名ラベル
２    宛名ラベル（表面）
３    基材
４    剥離層
５    接着層
６    個人情報
７    剥離部
８    切取り線
９    印字
１０  宛名ラベル（裏面）
１２  被着体
１３  Ｕ字状
２０  マージナル部
２１  マージナル孔
２２  縦方向ミシン目線
２３  横方向ミシン目線
２４  切り取り用ミシン目線
２５  郵便物
３０  従来の宛名ラベル
【図１０】
0005935427.tif 000002
【図１２】
0005935427.tif 000003
【図１３】
0005935427.tif 000004
【図１】
0005935427.tif 000005
【図２】
0005935427.tif 000006
【図３】
0005935427.tif 000007
【図４】
0005935427.tif 000008
【図５】
0005935427.tif 000009
【図６】
0005935427.tif 000010
【図７】
0005935427.tif 000011
【図８】
0005935427.tif 000012
【図９】
0005935427.tif 000013
【図１１】
0005935427.tif 000014